(57)【要約】  【課題】起動と同時に電動送風機が駆動することを防止できる電気掃除機を提供する。  【解決手段】電動送風機をオンオフさせる電源スイッチ13を掃除機本体１内に設ける。電源スイッチ13を操作可能であり、電源スイッチ13のオンオフに応じた状態が互いに異なる電源ボタン部14を設ける。電源スイッチ13のオン状態では、電源ボタン部14が掃除機本体１内に引っ込み、電源スイッチ13のオフ状態では、電源ボタン部14が掃除機本体１から突出することで電動送風機のオンオフ状態を作業者が目視で容易に確認できるので、電源コードをコンセントに接続すると同時に電動送風機が駆動することを防止できる。  【選択図】図１
2005137432.tif 000002
【特許請求の範囲】
【請求項１】
電動送風機を収容した掃除機本体と、
前記電動送風機をオンオフさせる電源スイッチと、
この電源スイッチを操作可能であり、この電源スイッチのオンオフに応じた状態が互いに異なるボタン部と
を具備したことを特徴とした電気掃除機。
【請求項２】
ボタン部の操作に応じて可動し、電源スイッチがオンの状態の際に、電動送風機がオン状態であることを表示する表示装置を具備した
ことを特徴とした請求項１記載の電気掃除機。
【発明の詳細な説明】
【技術分野】
【０００１】
本発明は、電動送風機をオンオフさせる電源スイッチを備えた電気掃除機に関する。
【背景技術】
【０００２】
従来、この種の電気掃除機は、電動送風機を収容した掃除機本体を備えている。この掃除機本体の上部には、電動送風機をオンオフさせる電源スイッチが設けられている。この電源スイッチの上部には、足踏みにより電源スイッチを操作可能なボタン部が設けられている。このボタン部は、ばねにより上方向に付勢されており、作業者に踏まれることで電源スイッチをオンオフさせると元の状態に復帰する（例えば、特許文献１参照。）。
【特許文献１】特開平８−１１７１６６号公報（第３頁、図１−図３）
【発明の開示】
【発明が解決しようとする課題】
【０００３】
しかしながら、上述の電気掃除機では、足踏みで電源スイッチをオンオフ可能にするため、電源スイッチのオンオフ状態に拘らずボタン部を元の状態に復帰させる必要があるので、電源スイッチがオンオフいずれの状態でもボタン部の外観が同一となる。
【０００４】
このため、電動送風機のオンオフ状態が外観で判断できず、電気掃除機の起動と同時に電動送風機が駆動するおそれがあるという問題点を有している。
【０００５】
本発明は、このような点に鑑みなされたもので、起動と同時に電動送風機が駆動することを防止できる電気掃除機を提供することを目的とする。
【課題を解決するための手段】
【０００６】
本発明は、電動送風機をオンオフさせる電源スイッチと、この電源スイッチを操作可能であり、この電源スイッチのオンオフに応じた状態が互いに異なるボタン部とを具備したものである。そして、電動送風機をオンオフさせる電源スイッチのオンオフに応じたボタン部の状態が互いに異なるため、電動送風機のオンオフ状態を目視で確認可能となるので、起動と同時に電動送風機が駆動することを防止することが可能になる。
【発明の効果】
【０００７】
本発明によれば、電動送風機をオンオフさせる電源スイッチのオンオフに応じたボタン部の状態が互いに異なるため、電動送風機のオンオフ状態を目視で確認可能となるので、起動と同時に電動送風機が駆動することを防止できる。
【発明を実施するための最良の形態】
【０００８】
以下、本発明の第１の実施の形態の電気掃除機の構成を図１ないし図３を参照して説明する。
【０００９】
図３に示すように、１は掃除機本体で、この掃除機本体１は、内部に収容された電動送風機２の駆動にて生じる吸気風とともに吸い込んだ塵埃を、着脱可能な図示しない集塵パックにて集塵する。
【００１０】
また、この掃除機本体１には、外部から空気を吸引する本体吸込口３が開口されている。この本体吸込口３には、湾曲可能な細長略円筒状のホース体４が連通接続されている。このホース体４の先端には、掃除する際に作業者が把持する把持部５を備えた操作管部６が設けられている。
【００１１】
さらに、操作管部６の先端には、伸縮可能な細長略円筒状の延長管８が着脱可能に連通接続されている。またさらに、この延長管８の先端には、例えば室内の床面の絨毯などの上に接地させて、この絨毯上の塵埃を吸い込む吸込口体としての床ブラシ９が着脱可能に連通接続されている。
【００１２】
掃除機本体１内の上面の後部には、ボタン嵌合凹部11，12が設けられている。これらボタン嵌合凹部11，12は、掃除機本体１の走行方向に略直交する幅方向に互いに離間され、掃除機本体１の両側部近傍にそれぞれ設けられている。そして、ボタン嵌合凹部11の下部には、電動送風機２の駆動をオンオフする電源スイッチ13が設けられ、この電源スイッチ13の上部には、ボタン部としての電源ボタン部14が設けられてボタン嵌合凹部11内に嵌合している。
【００１３】
また、ボタン嵌合凹部12の下部には、図示しないコードリール巻き取り機構が設けられており、このコードリール巻き取り機構は、ボタン嵌合凹部12に嵌合した巻き取りボタン部15により操作されることで電源コード16を掃除機本体１内の図示しないコードリールに巻き取り可能とするものである。
【００１４】
ボタン嵌合凹部11は、図１および図２に示すように、このボタン嵌合凹部11の外周となる外周側板部21と、ボタン嵌合凹部11の下端部となる底板部22とを備えている。
【００１５】
外周側板部21は、上端部が掃除機本体１の上部から若干上方に突出し、かつ下端部が掃除機本体１の上面よりも下側に位置して底板部22の外周縁部と連続している。
【００１６】
底板部22は、外周側板部21に沿って周縁部に嵌合孔部23が穿設され、中心部に例えば丸孔状の挿通孔部24が穿設されている。
【００１７】
嵌合孔部23には、電源ボタン部14の下端部が挿通されている。
【００１８】
挿通孔部24の周縁部には、円筒状のガイド筒部25が設けられている。このガイド筒部25は、電源ボタン部14を上下方向に案内すなわちガイドするもので、上方に向けて底板部22に対して略垂直に突出している。
【００１９】
電源スイッチ13は、いわゆるオルタネートスイッチであり、角柱状の本体部26を備え、この本体部26の上部にスイッチ軸27が上下方向に進退可能に設けられているとともに、本体部26の下部に複数の金属端子28が突出して設けられている。また、この電源スイッチ13内には、スイッチ軸27を上方向に付勢する図示しないスプリングが設けられている。さらに、電源スイッチ13内には、すなわち電源スイッチ13のオン状態で、スイッチ軸27を最下部に位置した状態で保持する図示しないキャッチが設けられている。
【００２０】
スイッチ軸27は、ボタン嵌合凹部11の挿通孔部24に挿通され、本体部26に向けて押されることで本体部26内に引っ込む状態と本体部26から突出した状態とが交互に入れ替わるものである。また、このスイッチ軸27の上端部近傍には、電源ボタン部14の下端部が係合する係合凹部29が切り欠き形成されている。このため、電源ボタン部14は、スイッチ軸27の上下方向の移動に伴って上下方向に移動する。
【００２１】
金属端子28は、図示しない電源から電動送風機２へと電力を供給する図示しない電源線にそれぞれ取り付けられている。そして、これら金属端子28は、スイッチ軸27を本体部26に対して進退させることで互いに導通および遮断される。この結果、スイッチ軸27の進退により電源線が導通および遮断されることで、電動送風機２の駆動がオンオフされる。
【００２２】
電源ボタン部14は、略有蓋円筒状のボタン本体31を備えている。このボタン本体31は、下端部の開口縁部に、このボタン本体31の径方向に向けて全周に突出したフランジ部32を有している。このフランジ部32は、ボタン嵌合凹部11の嵌合孔部23の下端側の縁部に係合することで上方向に対して抜け止めされている。
【００２３】
また、ボタン本体31の内側の中心には、上端部から下方に向けて円筒状の被ガイド部33が突設されている。この被ガイド部33は、中心軸方向に向けて突出した係合部35を下端部に備え、この係合部35が電源スイッチ13のスイッチ軸27の係合凹部29に係合されることでスイッチ軸27に電源ボタン部14が一体的に取り付けられている。また、被ガイド部33は、ボタン嵌合凹部11の挿通孔部24に挿通され、ガイド筒部25によりスイッチ軸27とともに上下方向に沿ってガイドされる。
【００２４】
次に、上記第１の実施の形態の動作を説明する。
【００２５】
まず、電源コードを掃除機本体１から引き出し、壁面などに設けられた図示しないコンセントなどに接続する。
【００２６】
次いで、作業者が電源ボタン部14を下方向に押すと、この電源ボタン部14に伴ってスイッチ軸27が電源スイッチ13内のスプリングの付勢に抗して下方に押し下げられ、電源スイッチ13がオンされて、金属端子28，28間が導通し、電動送風機２が駆動される。
【００２７】
このとき、スイッチ軸27は、図１に示すように、電源スイッチ13内のキャッチにより最下部に位置した状態で保持され、電源ボタン部14が掃除機本体１のボタン嵌合凹部11に対して中へと引っ込んだ状態で保持される。
【００２８】
そして、作業者は、把持部５を把持して床ブラシ９を床面上で前後に走行させて掃除する。
【００２９】
また、掃除の終了時には、作業者が電源ボタン部14を下方向に押すと、電源スイッチ13内のキャッチがスイッチ軸27から外れ、このスイッチ軸27が電源スイッチ13内のスプリングにより押し上げられて、電源スイッチ13がオフされて金属端子28，28間が電気的に遮断されて電動送風機２がオフされるとともに、図２に示すように、このスイッチ軸27に伴って電源ボタン部14が元の位置に復帰して掃除機本体１の上面から上方に突出する。
【００３０】
上述したように、上記第１の実施の形態では、電動送風機２をオンオフさせる電源スイッチ13のオンオフに応じた電源ボタン部14の状態が互いに異なる構成とした。
【００３１】
具体的には、電源スイッチ13のオン状態では、電源ボタン部14が掃除機本体１内に引っ込み、電源スイッチ13のオフ状態では、電源ボタン部14が掃除機本体１から突出する構成とした。
【００３２】
この結果、電動送風機２のオンオフ状態を作業者が目視で容易に確認できるので、電気掃除機の起動、すなわち電源コードをコンセントに接続すると同時に電動送風機２が駆動することを防止でき、作業者が使用に際して電動送風機２の急な駆動に驚いたりすることがなく、使い勝手を向上できるとともに、急な駆動による電動送風機２の破損などをも防止できる。
【００３３】
しかも、電源スイッチ13をオルタネートスイッチとし、この電源スイッチ13のスイッチ軸27に電源ボタン部14を係合させることで、比較的簡単な構成で電動送風機２のオンオフ状態を作業者が目視で確認できるので、製造性を向上できるとともに、製造コストをも抑制できる。
【００３４】
また、電源スイッチ13のオンオフ状態により電源ボタン部14が掃除機本体１に対して上下方向に進退する構成としたことで、いわゆるシーソー式の電源スイッチとした場合と比較して、電源ボタン部14の周囲のクリアランスを抑制でき、省スペース化できるとともに、電源ボタン部14と掃除機本体１のボタン嵌合凹部11との隙間に塵埃などが入り込むことをも防止でき、かつ電源ボタン部14のデザインの自由度を向上できる。
【００３５】
次に、第２の実施の形態の構成を図４および図５を参照して説明する。なお、上記第１の実施の形態と同様の構成および作用については、同一符号を付してその説明を省略する。
【００３６】
図４および図５において、掃除機本体１内のボタン嵌合部11の下部には、電源ボタン部14の操作により可動、例えば回動する表示回動体41が設けられている。この表示回動体41は、電源ボタン部14の前側のフランジ部32の下方に位置した当接部42、この当接部42の前部に設けられた回動軸43、この回動軸43の前部に延設された腕部44、および、この腕部44の先端部の上部に設けられた表示部45を備えている。
【００３７】
当接部42は、電源ボタン部14の前側のフランジ部32の下部に当接し、電源ボタン部14の上下方向への進退に伴って上下方向へと回動する。
【００３８】
回動軸43は、表示回動体41の回動の中心となるもので、位置復帰手段としての図示しないトーションばねが取り付けられている。このトーションばねは、表示回動体41の当接部42側を上方向に、腕部44側を下方向に付勢する。
【００３９】
腕部44は、回動軸43に対して前方に棒状に延設されている。
【００４０】
表示部45は、腕部44と一体に設けられている。この表示部45は、掃除機本体１と異なる色などで設けられ、腕部44の上下方向への回動により上下方向へと移動する。
【００４１】
また、掃除機本体１の上部には、表示窓部46が切り欠き形成されている。この表示窓部46は、表示回動体41の腕部44が上方向に回動した状態で表示部45が露出可能な位置に設けられている。
【００４２】
そして、これら表示回動体41および表示窓部46により、表示装置47が構成されている。
【００４３】
次に、上記第２の実施の形態の動作を説明する。
【００４４】
作業者が電源ボタン部14を下方向に押すと、上記第１の実施の形態と同様に、この電源ボタン部14に伴ってスイッチ軸27が下方に押し下げられて電源スイッチ13内のキャッチにより最下部に位置した状態で保持され、電源スイッチ13がオンされて金属端子28，28間が導通し、電動送風機２が駆動され、図４に示すように、電源ボタン部14が掃除機本体１のボタン嵌合凹部11に対して中へと引っ込んだ状態で保持される。
【００４５】
同時に、電源ボタン部14のフランジ部32により表示回動体41の当接部42がトーションばねの付勢に抗して下方に押され、回動軸43を中心として腕部44が上方向に回動し、表示部45が表示窓部46の下部に位置して、表示窓部46から掃除機本体１の外部へと露出し、電源スイッチ13のオン状態を表示する。
【００４６】
また、掃除の終了時には、作業者が電源ボタン部14を下方向に押すと、上記第１の実施の形態と同様に、電源スイッチ13内のキャッチがスイッチ軸27から外れ、このスイッチ軸27が電源スイッチ13内のスプリングにより押し上げられて、電源スイッチ13がオフされて金属端子28，28間が電気的に遮断されて電動送風機２がオフされるとともに、図５に示すように、このスイッチ軸27に伴って電源ボタン部14が元の位置に復帰して掃除機本体１の上面から上方に突出する。
【００４７】
このとき、トーションばねの付勢により、当接部42が上方向に回動して電源ボタン部14に追従し、回動軸43を中心として腕部44が下方へと回動して、表示部45が表示窓部46から離間されて電源スイッチ13のオフ状態を表示する。
【００４８】
上述したように、上記第２の実施の形態によれば、電源スイッチ13のオン状態では、電源ボタン部14が掃除機本体１内に引っ込み、電源スイッチ13のオフ状態では、電源ボタン部14が掃除機本体１から突出するなど、上記第１の実施の形態と同様の構成を有することにより、上記第１の実施の形態と同様の作用効果を奏することができる。
【００４９】
また、電源ボタン部14の操作に応じて回動し電動送風機２のオン状態を表示する表示装置47を設けることで、電動送風機２のオン状態を、表示装置47を介して作業者がより確実に目視確認できる。
【００５０】
さらに、表示回動体41および表示窓部46などの比較的簡単な構成で表示装置47を構成することで、製造性をより向上できるとともに製造コストをより抑制できる。
【００５１】
なお、上記第２の実施の形態において、表示装置47は、電源ボタン部14の操作に応じて可動し、電源スイッチ13がオンの状態の際に、電動送風機２がオン状態であることを表示できれば、他の様々な構成が可能である。
【００５２】
また、上記各実施の形態において、電源ボタン部14は、電源スイッチ13のオンオフに応じた状態が互いに異なれば、上下方向に移動するもの以外の構成も可能である。
【図面の簡単な説明】
【００５３】
【図１】本発明の第１の実施の形態の電気掃除機の電源スイッチのオン状態を示す縦断面図である。
【図２】同上電源スイッチのオフ状態を示す縦断面図である。
【図３】同上電気掃除機を示す斜視図である。
【図４】本発明の第２の実施の形態の電気掃除機の電源スイッチのオン状態を示す縦断面図である。
【図５】同上電源スイッチのオフ状態を示す縦断面図である。
【符号の説明】
【００５４】
１    掃除機本体
２    電動送風機
13    電源スイッチ
14    ボタン部としての電源ボタン部
47    表示装置
【図１】
2005137432.tif 000003
【図２】
2005137432.tif 000004
【図３】
2005137432.tif 000005
【図４】
2005137432.tif 000006
【図５】
2005137432.tif 000007